(57)【要約】【課題】定位置化されていない被管理部材の在庫数量の管理をより正確かつ容易に行えるようになる在庫管理システムを提供すること。【解決手段】被管理部材が保管される保管庫であるパレットに取り付けられる固定端末装置３０は、サーバと通信手段を介して通信可能となっており、この固定端末装置３０は、サーバから、前記保管庫に保管されている前記被管理部材の在庫数量を含む在庫情報を受信し、この在庫情報を、固定端末装置３０が備える部材在庫情報ファイル３４に更新する固定端末装置側部材在庫情報更新処理手段３２と、この固定端末装置側部材在庫情報更新処理手段３２により更新された部材在庫情報ファイル３４の在庫情報を出力する出力手段４０と、を備える。【選択図】図８
2010215340.tif 000002
【特許請求の範囲】
【請求項１】
少なくとも１個の被管理部材が保管され、移動可能となっている少なくとも１個の保管庫と、
この保管庫に入庫した前記被管理部材の入庫数量と、前記保管庫から出庫した前記被管理部材の出庫数量が入力され、少なくとも前記入庫数量と前記出庫数量に基づき前記被管理部材の在庫数量を管理するための処理を実行するサーバと、
前記保管庫に取り付けられ、前記サーバと通信手段を介して通信可能となっている固定端末装置と、
を含んで構成される在庫管理システムであって、
前記サーバには、前記保管庫に保管されている前記被管理部材の前記在庫数量を含む在庫情報が記憶されており、前記固定端末装置は、この固定端末装置が取り付けられている前記保管庫に保管されている前記被管理部材の前記在庫情報を前記サーバから受信し、この受信した前記在庫情報を出力することを特徴とする在庫管理システム。
【請求項２】
請求項１に記載の在庫管理システムにおいて、
前記サーバは、前記被管理部材の仕様情報をこの被管理部材の識別情報と関連付けて記憶する部材仕様情報データベースと、前記保管庫に保管されている前記被管理部材の前記在庫数量を含む前記在庫情報を、前記保管庫に保管されている前記被管理部材の識別情報及び前記保管庫に取り付けられている前記固定端末装置の識別情報と関連付けて記憶する部材在庫情報データベースと、特定の前記保管庫に保管されている前記被管理部材の前記在庫情報を、前記特定の保管庫に保管されている前記被管理部材の識別情報及び前記特定の保管庫に取り付けられている前記固定端末装置の前記識別情報をキーとして、前記部材在庫情報データベースを検索し、前記特定の保管庫に保管されている前記被管理部材の識別情報及び前記特定の保管庫に取り付けられている前記固定端末装置の前記識別情報と関連付けられた前記在庫情報を取得する処理を実行するサーバ側部材在庫情報取得処理手段と、このサーバ側部材在庫情報取得処理手段により取得された前記在庫情報を、前記特定の保管庫に取り付けられている前記固定端末装置に送信する処理を実行するサーバ側部材在庫情報送信処理手段と、を備えており、
前記固定端末装置は、この固定端末装置が取り付けられている前記保管庫に保管されている前記被管理部材の前記在庫数量を含む前記在庫情報を、前記被管理部材の前記識別情報及び前記固定端末装置の前記識別情報と関連付けて記憶する部材在庫情報ファイルと、前記サーバの前記サーバ側部材在庫情報送信処理手段により送信された前記在庫情報を受信し、この受信した前記在庫情報に基づいて、前記被管理部材の識別情報及び前記保管庫に取り付けられている前記固定端末装置の前記識別情報をキーとして、前記部材在庫情報ファイルを検索し、前記保管庫に保管されている前記被管理部材の識別情報及び前記保管庫に取り付けられている前記固定端末装置の前記識別情報と関連付けられた前記在庫情報を更新する処理を実行する固定端末装置側部材在庫情報更新処理手段と、この固定端末装置側部材在庫情報更新処理手段により更新された前記部材在庫情報ファイルの前記在庫情報を出力するための出力手段と、
を備えていることを特徴とする在庫管理システム。
【請求項３】
請求項２に記載の在庫管理システムにおいて、
前記固定端末装置は、少なくともこの固定端末装置が取り付けられている前記保管庫から出庫した前記被管理部材の前記出庫数量を入力するための入力手段と、前記被管理部材の前記識別情報及び前記固定端末装置の前記識別情報と前記入力手段に入力された前記出庫数量を含む出庫情報を前記サーバに送信する処理を実行する固定端末装置側部材出庫情報送信処理手段を備えており、
前記サーバは、前記固定端末装置の前記固定端末装置側部材出庫情報送信処理手段により送信された前記出庫情報を受信し、この受信した出庫情報のうち、前記被管理部材の前記識別情報及び前記固定端末装置の前記識別情報をキーとして、前記部材在庫情報データベースを検索し、前記被管理部材の前記識別情報及び前記固定端末装置の前記識別情報と関連付けられた前記在庫情報を取得し、少なくとも前記在庫情報の前記在庫数量を更新する処理を実行するサーバ側部材在庫情報更新処理手段を備えていることを特徴とする在庫管理システム。
【請求項４】
請求項２又は３に記載の在庫管理システムにおいて、前記サーバは、前記部材在庫情報データベースを検索し、前記被管理部材の前記識別情報毎の在庫数量を集計する処理を実行するサーバ側部材別在庫数量集計処理手段を備えていることを特徴とする在庫管理システム。
【請求項５】
請求項１〜４のいずれかに記載の在庫管理システムにおいて、前記保管庫は複数あり、それぞれの保管庫に取り付けられている前記固定端末装置同士は互いに通信可能となっており、前記固定端末装置は他の前記固定端末装置を経由して前記サーバと通信可能となっていることを特徴とする在庫管理システム。
【請求項６】
請求項１〜５のいずれかに記載の在庫管理システムにおいて、前記保管庫はパレットであることを特徴とする在庫管理システム。
【請求項７】
請求項６に記載の在庫管理システムにおいて、前記パレットは、前記被管理部材が載置されるベース部と、このベース部の周縁部に複数個設けられ、上向きに突出する柱状部を有していることを特徴とする在庫管理システム。
【請求項８】
請求項７に記載の在庫管理システムにおいて、前記固定端末装置は、前記パレットの前記柱状部の側面部に取り付けられていることを特徴とする在庫管理システム。
【請求項９】
請求項８に記載の在庫管理システムにおいて、前記固定端末装置は、前記柱状部の前記側面部における前記被管理部材と干渉しない位置に取り付けられていることを特徴とする在庫管理システム。
【請求項１０】
請求項８に記載の在庫管理システムにおいて、前記パレットは単独で配置されるものであり、前記固定端末装置は、前記パレットの前記柱状部の前記側面部のうち、他の前記柱状部の前記側面部と対向する前記側面部であって、前記被管理部材と干渉しない前記側面部に取り付けられていることを特徴とする在庫管理システム。
【請求項１１】
請求項８に記載の在庫管理システムにおいて、前記パレットは複数個あり、これらのパレットは互いに隣接して配置されるものであり、前記固定端末装置は、それぞれの前記パレットの前記柱状部の前記側面部のうち、他の前記柱状部と対向しない前記側面部であって、かつ、他の前記パレットの前記柱状部とも対向しない前記側面部に取り付けられていることを特徴とする在庫管理システム。
【発明の詳細な説明】
【技術分野】
【０００１】
本発明は、被管理部材の在庫数量を管理するための在庫管理システムに係り、例えば、シャッターカーテンが開閉体となっているシャッター装置等の開閉装置に使用される各種の部材の在庫数量を管理するための在庫管理システムに利用できるものである。
【背景技術】
【０００２】
従来より、保管庫に保管されている被管理部材の在庫数量を管理するための在庫管理システムが提案されている。
【０００３】
下記の特許文献１に示されている在庫管理システムでは、保管庫に入庫した被管理部材の数量である入庫数量や、保管庫から出庫した被管理部材の数量である出庫数量が、保管庫の近傍に配置した端末装置からサーバであるホストコンピュータに入力され、このホストコンピュータで被管理部材の在庫数量が管理されるようになっている。
【先行技術文献】
【特許文献】
【０００４】
【特許文献１】特開平６−１２４３１
【発明の概要】
【発明が解決しようとする課題】
【０００５】
ところで、被管理部材を保管するための保管庫が移動可能となっており、この保管庫の移動が頻繁に行われる場合には、移動された保管庫に保管されている被管理部材の在庫数量を正確に把握できない場合が生じるおそれがある。また、保管庫の移動中に被管理部材が保管庫から脱落し、この後、脱落した被管理部材があやまって他の保管庫に保管されてしまった場合には、移動した保管庫に保管されている被管理部材の在庫数量が、サーバ側で管理されているものと、実際に保管庫に保管されているものとで異なってしまうおそれがある。
【０００６】
このため、定位置化されていない被管理部材の在庫数量の管理をより正確かつ容易に行える在庫管理システムの工夫が求められていた。
【０００７】
本発明の目的は、定位置化されていない被管理部材の在庫数量の管理をより正確かつ容易に行えるようになる在庫管理システムを提供するところにある。
【課題を解決するための手段】
【０００８】
本発明に係る在庫管理システムは、少なくとも１個の被管理部材が保管され、移動可能となっている少なくとも１個の保管庫と、この保管庫に入庫した前記被管理部材の入庫数量と、前記保管庫から出庫した前記被管理部材の出庫数量が入力され、少なくとも前記入庫数量と前記出庫数量に基づき前記被管理部材の在庫数量を管理するための処理を実行するサーバと、前記保管庫に取り付けられ、前記サーバと通信手段を介して通信可能となっている固定端末装置と、を含んで構成される在庫管理システムであって、前記サーバには、前記保管庫に保管されている前記被管理部材の前記在庫数量を含む在庫情報が記憶されており、前記固定端末装置は、この固定端末装置が取り付けられている前記保管庫に保管されている前記被管理部材の前記在庫情報を前記サーバから受信し、この受信した前記在庫情報を出力することを特徴とするものである。
【０００９】
本発明では、保管庫に取り付けられている固定端末装置は、前記保管庫に保管されている被管理部材の在庫数量を含む在庫情報をサーバから受信し、この受信した前記在庫情報を出力するようになっている。
【００１０】
これにより、固定端末装置は、この固定端末装置が取り付けられている保管庫に保管されている被管理部材の最新の在庫情報を表示する札部材としての機能を有することになる。すなわち、サーバが配置されている場所に行かなくても、固定端末装置を見れば、保管庫に保管されている被管理部材の最新の在庫情報が一目で分かるようになる。
【００１１】
また、前述したように、移動可能となっている保管庫の移動中に被管理部材が保管庫から脱落し、この後、脱落した被管理部材があやまって他の保管庫に保管されてしまった場合には、移動した保管庫に保管されている被管理部材の実際の在庫数量が、サーバ側で管理されている在庫数量と異なることが、固定端末装置を見れば分かるようになる。
【００１２】
このように、本発明によると、定位置化されていない被管理部材の在庫数量の管理をより正確かつ容易に行えるようになる。
【００１３】
本発明において、サーバ及び固定端末装置の具体的な構成は、上述した機能を発揮するものであれは任意なものでよく、例えば、前記サーバは、前記被管理部材の仕様情報をこの被管理部材の識別情報と関連付けて記憶する部材仕様情報データベースと、前記保管庫に保管されている前記被管理部材の前記在庫数量を含む在庫情報を、前記保管庫に保管されている前記被管理部材の識別情報及び前記保管庫に取り付けられている前記固定端末装置の識別情報と関連付けて記憶する部材在庫情報データベースと、特定の前記保管庫に保管されている前記被管理部材の前記在庫情報を、前記特定の保管庫に保管されている前記被管理部材の識別情報及び前記特定の保管庫に取り付けられている前記固定端末装置の前記識別情報をキーとして、前記部材在庫情報データベースを検索し、前記特定の保管庫に保管されている前記被管理部材の識別情報及び前記特定の保管庫に取り付けられている前記固定端末装置の前記識別情報と関連付けられた前記在庫情報を取得する処理を実行するサーバ側部材在庫情報取得処理手段と、このサーバ側部材在庫情報取得処理手段により取得された前記在庫情報を、前記特定の保管庫に取り付けられている前記固定端末装置に送信する処理を実行するサーバ側部材在庫情報送信処理手段と、を備えており、前記固定端末装置は、この固定端末装置が取り付けられている前記保管庫に保管されている前記被管理部材の前記在庫数量を含む前記在庫情報を、前記被管理部材の前記識別情報及び前記固定端末装置の前記識別情報と関連付けて記憶する部材在庫情報ファイルと、前記サーバの前記サーバ側部材在庫情報送信処理手段により送信された前記在庫情報を受信し、この受信した前記在庫情報に基づいて、前記被管理部材の識別情報及び前記保管庫に取り付けられている前記固定端末装置の前記識別情報をキーとして、前記部材在庫情報ファイルを検索し、前記保管庫に保管されている前記被管理部材の識別情報及び前記保管庫に取り付けられている前記固定端末装置の前記識別情報と関連付けられた前記在庫情報を更新する処理を実行する固定端末装置側部材在庫情報更新処理手段と、この固定端末装置側部材在庫情報更新処理手段により更新された前記部材在庫情報ファイルの前記在庫情報を出力するための出力手段と、を備えているものを挙げることができる。
【００１４】
これによると、前記サーバは、前記被管理部材の仕様情報をこの被管理部材の識別情報と関連付けて記憶する部材仕様情報データベースと、前記保管庫に保管されている前記被管理部材の前記在庫数量を含む在庫情報を、前記保管庫に保管されている前記被管理部材の識別情報及び前記保管庫に取り付けられている前記固定端末装置の識別情報と関連付けて記憶する部材在庫情報データベースと、を備えている。
【００１５】
また、前記サーバは、特定の前記保管庫に保管されている前記被管理部材の前記在庫情報を、前記特定の保管庫に保管されている前記被管理部材の識別情報及び前記特定の保管庫に取り付けられている前記固定端末装置の前記識別情報をキーとして、前記部材在庫情報データベースを検索し、前記特定の保管庫に保管されている前記被管理部材の識別情報及び前記特定の保管庫に取り付けられている前記固定端末装置の前記識別情報と関連付けられた前記在庫情報を取得する処理を実行するサーバ側部材在庫情報取得処理手段と、このサーバ側部材在庫情報取得処理手段により取得された前記在庫情報を、前記特定の保管庫に取り付けられている前記固定端末装置に送信する処理を実行するサーバ側部材在庫情報送信処理手段と、を備えている。
【００１６】
これにより、サーバから、特定の保管庫に取り付けられている固定端末装置へ、前記特定の保管庫にされている被管理部材の在庫数量が送信される。
【００１７】
一方、前記固定端末装置は、この固定端末装置が取り付けられている前記保管庫に保管されている前記被管理部材の前記在庫数量を含む前記在庫情報を、前記被管理部材の前記識別情報及び前記固定端末装置の前記識別情報とを関連付けて記憶する部材在庫情報ファイルを備えている。
【００１８】
また、前記固定端末装置は、前記サーバの前記サーバ側部材在庫情報送信処理手段により送信された前記在庫情報を受信し、この受信した前記在庫情報に基づいて、前記被管理部材の識別情報及び前記保管庫に取り付けられている前記固定端末装置の前記識別情報をキーとして、前記部材在庫情報ファイルを検索し、前記保管庫に保管されている前記被管理部材の識別情報及び前記保管庫に取り付けられている前記固定端末装置の前記識別情報と関連付けられた前記在庫情報を更新する処理を実行する固定端末装置側部材在庫情報更新処理手段と、この固定端末装置側部材在庫情報更新処理手段により更新された前記部材在庫情報ファイルの前記在庫情報を出力するための出力手段と、を備えている。
【００１９】
これにより、固定端末装置の部材在庫情報ファイルの在庫情報は、サーバから受信した被管理部材の在庫情報に置き換わる（更新される）。すなわち、固定端末装置の部材在庫情報ファイルの在庫情報は、サーバに登録されている固定端末装置が取り付けられている保管庫の被管理部材の在庫情報と同じ内容となり、この在庫情報は、固定端末装置の出力手段に出力される。
【００２０】
この結果、固定端末装置の出力手段は、この固定端末装置が取り付けられている保管庫に保管されている被管理部材の最新の在庫情報を表示する札部材としての機能を有することになる。すなわち、サーバが配置されている場所に行かなくても、固定端末装置の出力手段を見れば、保管庫に保管されている被管理部材の最新の在庫情報が一目で分かるようになる。
【００２１】
また、前述したように、移動可能となっている保管庫の移動中に被管理部材が保管庫から脱落し、この後、脱落した被管理部材があやまって他の保管庫に保管されてしまった場合には、移動した保管庫に保管されている被管理部材の実際の在庫数量が、サーバ側で管理されている在庫数量と異なることが、固定端末装置の出力手段を見れば分かるようになる。
【００２２】
本発明において、被管理部材の識別情報は、被管理部材が識別できる情報であれば任意なものでよく、その一例は、被管理部材の品番（商品番号）や型番（型式番号）である。また、被管理部材の識別情報は、複数の情報を組み合わせたもの（例えば、被管理部材のメーカー番号と品番）としてもよい。なお、本発明において、被管理部材の識別情報とは、同種の被管理部材が複数ある場合に、それぞれの被管理部材を識別するための固有の情報ではない。
【００２３】
本発明において、部材仕様情報データベースに記憶される被管理部材の仕様情報の項目は任意であり、例えば、被管理部材の品名（商品名）や型名（型式名）、寸法、形状、材質等を挙げることができる。したがって、部材仕様情報データベースには、被管理部材の識別情報（例えば、前述した品番や型番）をキー項目とする被管理部材の仕様情報（例えば、前述した被管理部材の品名や型名、寸法、形状、材質等）のレコードが記憶される。
【００２４】
また、本発明において、保管庫には、同種の（同一の識別情報を有する）被管理部材が保管されるものでもよく、異種の（異なる識別情報を有する）被管理部材が混在して保管されるものでもよい。また、同種の被管理部材が複数の保管庫に分散して保管されるものでもよい。
【００２５】
本発明において、固定端末装置の識別情報は、固定端末装置は識別できる情報であれば任意なものでよく、例えば、固定端末装置固有の物理アドレスであるＭＡＣアドレス（言い換えると、固体識別番号）をそのまま使用してもよいが、ＭＡＣアドレスと関連付けられたより分かりやすいものとすることが好ましい。例えば、固定端末装置の識別情報は、この固定端末装置が取り付けられる保管庫に付与された固有の管理番号（例えば、棚番（棚番号））としてもよく、保管庫が通常配置される場所の区画番号等としてもよい。
【００２６】
また、本発明において、部材在庫情報データベースに記憶される被管理部材の在庫情報の項目は、この部材在庫情報データベースに少なくとも含まれる被管理部材の識別情報及び固定端末装置の識別情報や在庫数量を除いて任意であり、例えば、被管理部材が保管庫に最後に入庫した日や数量（直近の入庫日や入庫数量）、被管理部材が保管庫から最後に出庫した日や数量（直近の出庫日や出庫数量）等を挙げることができる。したがって、部材在庫情報データベースには、被管理部材の識別情報及び固定端末装置の識別情報をキー項目とする被管理部材の在庫情報（被管理部材の在庫数量の他、直近の入庫日や入庫数量、直近の出庫日や出庫数量等）のレコードが記憶される。
【００２７】
なお、保管庫に異種の（異なる識別情報を有する）被管理部材が混在して保管される場合には、同一の固定端末装置の識別情報を有するレコードが複数記憶されることになる。すなわち、固定端末装置の識別情報は同一であって被管理部材の識別番号が異なる複数のレコードが部材在庫情報データベースに記憶されることになる。
【００２８】
本発明において、固定端末装置が備える部材在庫情報ファイルに記憶される被管理部材の在庫情報の項目も、この部材在庫情報ファイルに少なくとも含まれる被管理部材の識別情報及び固定端末装置の識別情報や在庫数量を除いて任意であり、例えば、サーバの部材仕様情報データベースの項目（例えば、被管理部材の品名や型名等）や部材在庫情報データベースの項目（前述した直近の入庫日や入庫数量、直近の出庫日や出庫数量等）を挙げることができる。したがって、部材在庫情報ファイルには、被管理部材の識別情報及び固定端末装置の識別情報をキー項目とする被管理部材の在庫情報（被管理部材の在庫数量の他、品名や型名、直近の入庫日や入庫数量、直近の出庫日や出庫数量等）のレコードが記憶される。
【００２９】
なお、上述した部材在庫情報データベースと同様に、保管庫に異種の（異なる識別情報を有する）被管理部材が混在して保管される場合には、同一の固定端末装置の識別情報を有するレコードが複数記憶されることになる。すなわち、固定端末装置の識別情報は同一であって被管理部材の識別番号が異なる複数のレコードが部材在庫情報ファイルに記憶されることになる。
【００３０】
本発明において、前記固定端末装置は、少なくともこの固定端末装置が取り付けられている前記保管庫から出庫した前記被管理部材の前記出庫数量を入力するための入力手段と、前記被管理部材の前記識別情報及び前記固定端末装置の前記識別情報と前記入力手段に入力された前記出庫数量を含む出庫情報を前記サーバに送信する処理を実行する固定端末装置側部材出庫情報送信処理手段を備え、前記サーバは、前記固定端末装置の前記固定端末装置側部材出庫情報送信処理手段により送信された前記出庫情報を受信し、この受信した出庫情報のうち、前記被管理部材の前記識別情報及び前記固定端末装置の前記識別情報をキーとして、前記部材在庫情報データベースを検索し、前記被管理部材の前記識別情報及び前記固定端末装置の前記識別情報と関連付けられた前記在庫情報を取得し、少なくとも前記在庫情報の前記在庫数量を更新する処理を実行するサーバ側部材在庫情報更新処理手段を備えていることが好ましい。
【００３１】
これによると、固定端末装置の入力手段から、少なくともこの固定端末装置が取り付けられている保管庫から出庫した被管理部材の出庫数量を入力することができ、被管理部材の識別情報及び固定端末装置の識別情報と入力手段に入力された出庫数量を含む出庫情報が、固定端末装置側部材出庫情報送信処理手段によりサーバに送信される。
【００３２】
このため、保管庫から出庫した被管理部材の出庫数量をわざわざサーバ側で入力する手間が省け、被管理部材が出庫した保管庫に取り付けられている固定端末装置からその場で出庫数量を入力できるので、出庫数量の入力の間違いをより少なくすることができる。
【００３３】
一方、サーバが、固定端末装置から送信された被管理部材の出庫情報を受信した後、サーバが備えるサーバ側部材在庫情報更新処理手段は、受信した出庫情報のうち、被管理部材の識別情報及び固定端末装置の識別情報をキーとして、部材在庫情報データベースを検索し、被管理部材の識別情報及び固定端末装置の識別情報と関連付けられた在庫情報を取得し、少なくとも在庫情報の在庫数量を更新する処理を実行することになる。
【００３４】
このように、被管理部材が出庫した保管庫に取り付けられている固定端末装置から出庫数量が入力、送信されると、サーバが備える部材在庫情報データベースの在庫数量が直ちに更新されることになる。このため、サーバ側では、リアルタイムで最新の被管理部材の在庫数量を把握することが可能となる。
【００３５】
なお、サーバが備えるサーバ側部材在庫情報更新処理手段は、少なくとも在庫情報の在庫数量を更新するとあるので、例えば、部材在庫情報データベースの項目として直近の出庫日や直近の出庫数量が設定されており、固定端末装置から送信される出庫情報の中に被管理部材の出庫日が含まれている場合には、この出庫日を部材在庫情報データベースの直近の出庫日として更新するようにしてもよい。なお、部材在庫情報データベースの直近の出庫数量には、固定端末装置から送信された出庫数量をそのまま移送、更新すればよい。
【００３６】
なお、本発明において、保管庫に入庫した被管理部材の入庫情報も、上述した出庫情報と同様に、固定端末装置の入力手段に入力、サーバに送信するようにしてもよい。そして、サーバは受信した入庫情報に基づいて、部材在庫情報データベースの在庫情報（在庫数量、直近の入庫日等）を更新するようにしてもよい。
【００３７】
すなわち、本発明において、前記固定端末装置は、少なくともこの固定端末装置が取り付けられている前記保管庫に入庫した前記被管理部材の前記入庫数量を入力するための入力手段と、前記被管理部材の前記識別情報及び前記固定端末装置の前記識別情報と前記入力手段に入力された前記入庫数量を含む入庫情報を前記サーバに送信する処理を実行する固定端末装置側部材入庫情報送信処理手段を備えるようにしてもよい。また、前記サーバは、前記固定端末装置の前記固定端末装置側部材入庫情報送信処理手段により送信された前記入庫情報を受信し、この受信した入庫情報のうち、前記被管理部材の前記識別情報及び前記固定端末装置の前記識別情報をキーとして、前記部材在庫情報データベースを検索し、前記被管理部材の前記識別情報及び前記固定端末装置の前記識別情報と関連付けられた前記在庫情報を取得し、少なくとも前記在庫情報の前記在庫数量を更新する処理を前記サーバ側部材在庫情報更新処理手段に実行させるようにしてもよい。
【００３８】
また、この場合において、サーバ側部材在庫情報更新処理手段は、部材在庫情報データベースの項目として直近の入庫日が設定されており、固定端末装置から送信される入庫情報の中に被管理部材の入庫日が含まれている場合には、この入庫日を部材在庫情報データベースの直近の入庫日として更新するようにしてもよい。なお、部材在庫情報データベースの直近の入庫数量には、固定端末装置から送信された入庫数量をそのまま移送、更新すればよい。
【００３９】
なお、本発明において、サーバに入力される被管理部材の入庫数量は、サーバが備える入力手段と固定端末装置が備える入力手段の両方で入力可能となっているものでもよく、サーバが備える入力手段と固定端末装置が備える入力手段のうちのいずれか一方で入力可能となっているものでもよい。また、サーバに入力される被管理部材の出庫数量も、サーバが備える入力手段と固定端末装置が備える入力手段の両方で入力可能となっているものでもよく、サーバが備える入力手段と固定端末装置が備える入力手段のうちのいずれか一方で入力可能となっているものでもよい。
【００４０】
ここで、被管理部材の入庫数量はサーバが備える入力手段に入力され、被管理部材の出庫数量は固定端末装置が備える入力手段に入力されるものとした場合には、前記固定端末装置の構成は、例えば、少なくともこの固定端末装置が取り付けられている保管庫から出庫した被管理部材の出庫数量を入力するための固定端末装置側入力手段と、前記被管理部材の識別情報及び前記固定端末装置の識別情報と前記固定端末装置側入力手段に入力された前記出庫数量を含む出庫情報を前記サーバに送信する処理を実行する固定端末装置側部材出庫情報送信処理手段を備えたものとなる。一方、前記サーバの構成は、例えば、少なくとも前記固定端末装置が取り付けられている保管庫に入庫した被管理部材の入庫数量とこの被管理部材の識別情報と前記固定端末装置の識別情報を含む入庫情報を入力するためのサーバ側入力手段と、前記固定端末装置の前記固定端末装置側部材出庫情報送信処理手段により送信された前記出庫情報を受信し、この受信した出庫情報のうち、前記被管理部材の前記識別情報及び前記固定端末装置の前記識別情報をキーとして、前記部材在庫情報データベースを検索し、前記被管理部材の前記識別情報及び前記固定端末装置の前記識別情報と関連付けられた前記在庫情報を取得し、前記在庫情報の前記在庫数量を更新する処理を実行し、前記サーバ側入力手段に入力された前記入庫情報のうち、前記被管理部材の前記識別情報及び前記固定端末装置の前記識別情報をキーとして、前記部材在庫情報データベースを検索し、前記被管理部材の前記識別情報及び前記固定端末装置の前記識別情報と関連付けられた前記在庫情報を取得し、前記在庫情報の前記在庫数量を更新する処理を実行するサーバ側部材在庫情報更新処理手段と、を備えたものとなる。
【００４１】
このように、被管理部材の入庫数量はサーバが備える入力手段に入力され、被管理部材の出庫数量は固定端末装置が備える入力手段に入力されるものとすることにより、一度に多種類の被管理部材が大量に入庫した場合におけるこれらの被管理部材の入庫数量の入力作業を、サーバ側で集中して効率的に行うことができるようになる。
【００４２】
本発明において、前記サーバは、前記部材在庫情報データベースを検索し、前記被管理部材の前記識別情報毎の在庫数量を集計する処理を実行するサーバ側部材別在庫数量集計処理手段を備えていることが好ましい。
【００４３】
これによると、同一の識別情報を有する複数の被管理部材が、複数の保管庫に分散して保管されたとしても、サーバに備えられているサーバ側部材別在庫数量集計処理手段により、複数の保管庫に分散して保管されている同一の識別情報を有する複数の被管理部材の総在庫数量を正確かつ容易に把握することができる。
【００４４】
なお、このサーバ側部材別在庫数量集計処理手段による集計処理は、随時実行可能となっていることが好ましい。また、サーバに被管理部材の入庫数量や出庫数量が入力され、部材在庫情報データベースが更新された後には、必ず実行されることが好ましい。なお、サーバが出力手段を備えている場合には、サーバ側部材別在庫数量集計処理手段による集計処理が実行された後は、集計された被管理部材の在庫数量が、サーバの出力手段に出力されるようにすることが好ましい。ここで、サーバの出力手段とは、サーバに接続されたディスプレイ、プリンタ等をいう。
【００４５】
本発明において、保管庫が複数ある場合には、それぞれの保管庫に取り付けられている固定端末装置同士は互いに通信可能となっており、固定端末装置は他の前記固定端末装置を経由してサーバと通信可能となっていることが好ましい。
【００４６】
これによると、固定端末装置がサーバと直接通信できない状態（例えば、固定端末装置とサーバとの距離が遠距離となっている状態）となっても、この固体端末装置は、他の固定端末装置を経由してサーバと通信することができるようになる。すなわち、固定端末装置は、他の固定端末装置を経由してサーバへデータを送信したり、受信したりすることができるようになる。
【００４７】
本発明において、サーバと固定端末装置との通信を中継するための中継装置を備えるようにしてもよい。
【００４８】
サーバと固定端末装置との距離が遠距離となっている場合には、サーバと固定端末装置との通信が不可能となるおそれがあるが、サーバと固定端末装置との通信を中継するための中継装置を備えることにより、サーバと固定端末装置との通信が不可能となるおそれは解消する。したがって、サーバと固定端末装置との距離が近距離である場合には、中継装置は備えなくてもよい。
【００４９】
また、本発明において、通信手段とは、有線通信でもよく、無線通信でもよく、これらを併用したものでもよい。
【００５０】
通信手段が有線通信である場合には、この有線通信は任意なものでよく、例えば、サーバと固定端末装置の距離が短距離である場合には、イーサーネット（登録商標）等の有線ＬＡＮでもよく、サーバと固定端末装置との距離が長距離である場合には、前記有線ＬＡＮとインターネット（ＡＤＳＬ、光ファイバー回線等を使用したもの）を併用したものでもよい。
【００５１】
一方、通信手段が無線通信である場合には、この無線通信も任意なものでよく、例えば、サーバと固定端末装置の距離が短距離である場合には、ＩＥＥＥ  ８０２．１１シリーズの無線ＬＡＮでもよく、ＩＥＥＥ  ８０２．１５シリーズのＢｌｕｅｔｏｏｔｈ（登録商標）やＺｉｇＢｅｅ（登録商標）でもよい。
【００５２】
本発明において、通信手段が無線通信である場合には、サーバ及び固定端末装置と通信可能となっており、少なくとも部材在庫情報データベースに記憶された在庫情報を検索及び／又は更新する処理を実行する移動端末装置を備えていることが好ましい。
【００５３】
これによると、移動端末装置をサーバと通信可能な範囲内で操作する限り、少なくとも部材在庫情報データベースに記憶された在庫情報を検索及び／又は更新する処理を実行することができる。
【００５４】
なお、移動端末装置は、固定端末装置と通信し、この固定端末装置の内部メンテナンス処理を実行する内部メンテナンス処理手段を備えるようにしてもよい。
【００５５】
また、移動端末装置は、サーバと固定端末装置との距離が遠距離となって固定端末装置が通信圏外に陥ってしまった場合において、通信圏外に陥ってしまった固定端末装置に対する動作指示を実行する固定端末装置動作指示手段を備えるようにしてもよい。
【００５６】
さらに、移動端末装置は、通信圏外に陥ってしまった固定端末装置の代わりに、この固定端末装置が取り付けられている保管庫に保管されている被管理部材の出庫情報及び／又は入庫情報を入力し、これらの入出庫情報をサーバに送信する処理を実行する機能を備えるようにしてもよい。
【００５７】
以上説明した本発明は、任意な被管理部材の在庫管理に利用できるものである。例えば、被管理部材の用途は、完成品に使用されるものでもよく、半製品に使用されるものでよい。また、被管理部材の形状、構造も任意なものでよく、例えば、長尺の部材でもよく、短尺の部材でもよい。
【００５８】
完成品が、開閉装置である各種のシャッター装置（開口部シャッター装置や防災用シャッター装置等）である場合における被管理部材の例として、開閉体であるシャッターカーテンの構成部材となっている座板やスラット、シャッターカーテンを案内する案内部材となっているガイドレール、シャッターカーテンを巻取り、繰り出すための巻取軸等の長尺の部材を挙げることができる。
【００５９】
本発明において、被管理部材を保管するための保管庫は、移動可能となっているものであれば任意なものでよく、例えば、パレットでもよく、コンテナでもよく、カート等でもよい。また、保管庫は、屋外に配置されるものでもよく、屋内に配置されるものでもよく、屋外及び屋内に配置されるものものでもよい。
【００６０】
また、保管庫は、積み上げ可能となっていてもよく、積み上げ不能となっていてもよい。
【００６１】
本発明において、保管庫がパレットとなっている場合において、パレットの形状、構造は任意なものでよく、その一例として、被管理部材が載置されるベース部と、このベース部の周縁部に複数個設けられ、上向きに突出する柱状部を有しているものを挙げることができる。
【００６２】
これによると、パレットのベース部に載置された被管理部材は、柱状部の存在により、ベース部から脱落することが防止される。
【００６３】
また、保管庫がパレットとなっており、かつ、パレットの形状、構造が上述したようにベース部と柱状部とを有する場合において、固定端末装置をパレットに取り付ける位置は任意であるが、固定端末装置は、被管理部材の管理者や使用者が見やすい場所に配置されることが好ましい。例えば、固定端末装置は、パレットの柱状部の側面部に取り付けることが好ましい。
【００６４】
この場合において、固定端末装置は、パレットの柱状部の側面部における被管理部材と干渉しない位置に取り付けられていることが好ましい。これにより、固定端末装置が被管理部材と干渉して損傷することが防止される。
【００６５】
また、パレットがフォークリフトで移動可能となって場合には、固定端末装置は、柱状部の側面部におけるフォークリストのフォークと干渉しない位置に取り付けられていることが好ましい。
【００６６】
保管庫がパレットとなっており、かつ、パレットの形状、構造が上述したようにベース部と柱状部とを有する場合であって、パレットが単独で配置されるものである場合には、固定端末装置は、パレットの柱状部の側面部のうち、他の柱状部の側面部と対向する側面部であって、被管理部材と干渉しない側面部に取り付けられていることが好ましい。
【００６７】
これによると、固定端末装置が被管理部材と干渉して損傷することが防止され、また、固定端末装置が外部の影響を受けにくいものとなる。
【００６８】
保管庫がパレットとなっており、かつ、パレットの形状、構造が上述したようにベース部と柱状部とを有する場合であって、パレットは複数個あり、これらのパレットが互いに隣接して配置されるものである場合には、固定端末装置は、それぞれのパレットの柱状部の側面部のうち、他の柱状部と対向しない側面部であって、かつ、他のパレットの柱状部とも対向しない側面部に取り付けられていることが好ましい。
【００６９】
これによると、固定端末装置が被管理部材と干渉して損傷することが防止され、また、固定端末装置が隣接する他のパレットの柱状部と干渉して損傷することが防止される。
【発明の効果】
【００７０】
本発明によると、定位置化されていない被管理部材の在庫数量の管理をより正確かつ容易に行えるようになるという効果を得られる。
【図面の簡単な説明】
【００７１】
【図１】図１は、本発明の一実施形態に係る在庫管理システムが運用される工場の全体図である。
【図２】図２は、被管理部材が保管される移動可能な保管庫であるパレットの拡大斜視図である。
【図３】図３は、図２に示すパレットが積み上げられた状態を示す図である。
【図４】図４は、本実施形態に係る在庫管理システムを構成するサーバ、機器、装置が接続されや状態を示す図である。
【図５】図５は、サーバの構成図である。
【図６】図６は、部材仕様情報データベースの項目レイアウト図である。
【図７】図７は、部材在庫情報データベースの項目レイアウト図である。
【図８】図８は、固定端末装置の構成図である。
【図９】図９は、部材在庫情報ファイルの項目レイアウト図である。
【図１０】図１０は、固定端末装置の斜視図である。
【図１１】図１１は、単独で配置されたパレットに固定端末装置が取り付けられた状態を示す斜視図である。
【図１２】図１２は、図１１に示されているパレットの平面図である。
【図１３】図１３は、互いに隣接して配置された２個のパレットのそれぞれに固定端末装置が取り付けられた状態を示す斜視図である。
【図１４】図１４は、図１３に示されているパレットの平面図である。
【図１５】図１５は、移動端末装置の斜視図である。
【図１６】図１６は、サーバと固定端末装置との間で行われる被管理部材の入庫処理の流れを示すフローチャート図である。
【図１７】図１７は、サーバと固定端末装置との間で行われる被管理部材の出庫処理の流れを示すフローチャート図である。
【図１８】図１８は、図１７の処理の流れの続きを示すフローチャート図である。
【図１９】図１９は、別実施形態に係るパレットの斜視図である。
【図２０】図２０は、図１９に示すパレットが積み上げられた状態を示す図である。
【発明を実施するための形態】
【００７２】
以下に本発明を実施するための形態を図面に基づいて説明する。図１は、本発明の一実施形態に係る在庫管理システムが運用される工場の全体図である。本実施形態に係る工場１は、開閉装置であるシャッター装置の製造工場であり、この工場１は、図１に示されているように、シャッター装置の製造作業が行われる作業棟２と、このシャッター装置の製造に使用される被管理部材が搬入され、一時的に保管される場所となっているストックヤード３と、作業棟２に隣接する事務室４と、を含んで構成されるものとなっている。なお、事務室４には、実施形態に係る在庫管理システムを構成する後述するサーバが設置されている。
【００７３】
また、図１に示されているように、ストックヤード３には、複数のパレット（荷台）６が配置されており、これらのパレット６は、シャッター装置の製造に使用される被管理部材５を保管するための保管庫となっている。外部（例えばメーカー）から被管理部材５がロット単位で搬入されると、搬入された被管理部材５はパレット６に保管（入庫）され、シャッター装置の製造作業で被管理部材５が必要となったとき、必要数量の被管理部材５がパレット６から出庫され、フォークリフト９０で工場１の作業棟３に運ばれる。このように、保管庫となっているパレット６は移動可能となっている。
【００７４】
図２には、パレット６の拡大斜視図が示されている。この図２に示されているように、パレット６は、長方形の板状部材で形成され、被管理部材５が載置されるベース部７と、このベース部７の表面部の周縁部に複数個（図２では、四隅と、長辺部の略中央部の合計６個）設けられ、水平断面形状が略正方形となっている柱状被管理部材で形成された上向きに突出する柱状部８と、ベース部７の裏面部の周縁部における柱状部８と対応する位置に複数個設けられ、水平断面形状が略正方形となっている柱状被管理部材で形成された下向きに突出する脚部９とからなっている。
【００７５】
したがって、地面に置かれているパレット６のベース部７と地面との間には隙間が形成されるため、フォークリフト９０によるパレット６の運搬作業（移動作業）は、前記隙間にフォークリフト９０のフォーク９０Ａ（図１参照）を差し込むことにより容易に行うことができる。
【００７６】
本実施形態に係る被管理部材５は、図２に２点鎖線で示されているように、長尺部材であり、この長尺部材は、例えば、開閉体であるシャッターカーテンの構成部材となっているエンド部材である座板、シャッターカーテンを案内するための案内部材であるガイドレール、シャッターカーテンを巻き取り、繰り出すための巻取軸等である。このため、本実施形態に係るパレット６は、長尺部材が保管できるのに十分な長さ寸法を有している。一方、長尺部材となっていない短寸法の被管理部材については、図１に示す短寸法の部材用のパレット６’に保管する。
【００７７】
なお、図３に示すように、地面に置かれたパレット６の６個の柱状部８の上端面に、他のパレット６の６個の脚部９を載置することにより、パレット６を積み上げることが可能となっている。
【００７８】
図４は、本実施形態に係る在庫管理システムを構成するサーバ、機器、装置同士が接続された状態を示す図である。
【００７９】
この図４に示すように、本実施形態に係る在庫管理システムは、パレット６に保管されている被管理部材５の在庫管理を行うためのサーバ１０と、パレット６に取り付けられ（図４でではパレット６の表示は省略）、サーバ１０と通信手段８１を介して接続可能となっている固定端末装置３０と、この固定端末装置３０とサーバ１０との通信を中継するための中継装置であるルータ端末装置８０と、サーバ１０及び固定端末装置３０と通信可能となっている携帯可能な移動端末装置５０と、を含んで構成されている。なお、サーバ１０のＯＳ（オペレーティングシステム）は任意なものでよく、ＯＳは、例えば、Ｌｉｎｕｘ（登録商標）でもよく、Ｗｉｎｄｏｗｓ（登録商標）等でもよい。また、固定端末装置３０や移動端末装置５０のＯＳも任意なものもよく、例えば、Ｌｉｎｕｘ（登録商標）でもよく、Ｗｉｎｄｏｗｓ（登録商標）  Ｍｏｂｉｌｅ（登録商標）等でもよい。
【００８０】
図４に示されているように、これらのサーバ、機器、装置間の通信は通信手段８１によって行われ、この通信手段８１は、本実施形態では、無線通信であるＩＥＥＥ  ８０２．１５シリーズのＺｉｇＢｅｅ（登録商標）となっている。
【００８１】
なお、サーバ１０と、固定端末装置３０、移動端末装置５０及びルータ端末装置８０とは、通信プロトコルの変換処理を行う必要があるため、サーバ１０には、プロトコル変換処理を行う通信制御装置であるゲートウェイ端末装置２５が有線（ＬＡＮケーブル）で接続されている。すなわち、ゲートウェイ端末装置は、サーバ１０とは有線通信を行い、固定端末装置３０、移動端末装置５０及びルータ端末装置８０とは無線通信を行う。このため、サーバ１０は、ゲートウェイ端末装置２５を介して、固定端末装置３０、移動端末装置５０及びルータ端末装置８０とＺｉｇＢｅｅ（登録商標）通信を行うことなる。
【００８２】
なお、図示されていないが、商用電源で動作するゲートウェイ端末装置２５は、プロトコル変換用ＭＰＵと、ＺｉｇＢｅｅ（登録商標）通信用ＭＰＵと、固定端末装置３０、移動端末装置５０及びルータ端末装置８０と無線通信をおこなうための２．５ＧＨｚトランシーバと、を含んで構成されている。本実施形態では、ゲートウェイ端末装置２５とサーバ１０は、図１に示されている事務室４内に設置される。
【００８３】
また、商用電源あるいはバッテリ（充電池）電源で動作するルータ端末装置８０は、ＺｉｇＢｅｅ（登録商標）通信用ＭＰＵと、固定端末装置３０、移動端末装置５０及びルータ端末装置８０と無線通信をおこなうための２．５ＧＨｚトランシーバと、を含んで構成されている。本実施形態では、ルータ端末装置８０は、図１に示されているように、事務室４から離間した作業棟２の壁面に設置されている。なお、本実施形態において、サーバ１０と、固定端末装置３０が取り付けられるパレット６（サーバ１０から最も遠くに配置されるもの）との距離が近距離となっている場合には、ルータ端末装置８０は必ずしも必要ではない。
【００８４】
なお、固定端末装置３０と移動端末装置５０の内部構造については後述する。
【００８５】
図５には、サーバ１０の構成図が示されている。少なくとも被管理部材５の在庫数量を管理するためのサーバ１０は、図示されないＣＰＵと、ＲＡＭ、ＲＯＭである主記憶手段と、ハードディスク、ＤＶＤ−ＲＷ、ＣＤ−ＲＷ、ＦＤ、フラッシュメモリ等の補助記憶手段と、制御手段等と、を備えている。そして、補助記憶手段には、被管理部材５の在庫管理をするための図５に示す処理手段１１が記憶されており、主記憶手段に読み込まれ、ＣＰＵで実行されるソフトウェアとなっているこの処理手段１１は、サーバ側部材在庫情報取得処理手段１２と、サーバ側部材在庫情報送信処理手段１３と、サーバ側部材在庫情報更新処理手段１４と、サーバ側部材別在庫数量集計処理手段１５と、を備えている。なお、これらの処理手段１２〜１５によって実行される処理内容は後述する。
【００８６】
また、サーバ１０には、在庫管理に必要な情報を入力するためのサーバ側入力手段である入力手段１８や、サーバ１０の処理手段１１により実行された処理結果等を出力するための出力手段１９が接続されている。図３に示されているように、本実施形態では、入力手段１８はキーボードとなっており、出力手段１９は液晶ディスプレイとなっている。
【００８７】
サーバ１０の補助記憶手段となっているハードディスクには、図５に示されているように、被管理部材５の在庫管理をするため部材仕様情報データベース１６と部材在庫情報データベース１７が記憶されている。
【００８８】
図６には、部材仕様情報データベース１６の項目レイアウト図が示されている。この図６に示されているように、被管理部材５の仕様情報をこの被管理部材５の識別情報と関連付けて記憶する部材仕様情報データベース１６のデータ項目は、左から品番１６Ａ、品名１６Ｂとなっている。本実施形態では、品番１６Ａが被管理部材５の識別情報（部材仕様情報データベース１６にアクセスするためのキー項目）となっており、品名１６Ｂが品番１６Ａと関連付けられる被管理部材５の仕様情報となっている。すなわち、部材仕様情報データベース１６は、被管理部材５の仕様情報をこの被管理部材５の品番と関連付けて記憶するものである。
【００８９】
なお、被管理部材５の仕様情報となるデータ項目は、任意であり、品名１６Ｂに限られるものではない。また、仕様情報となるデータ項目の数も任意であり、品名１６Ｂの他に、例えば、被管理部材５の寸法、形状、材質等のデータ項目を加えてもよい。これと同様に、被管理部材５の識別情報も品番１６Ａに限られるものではない。
【００９０】
図７には、部材在庫情報データベース１７の項目レイアウト図が示されている。この図７に示されているように、パレット６に保管されている被管理部材５の在庫数量を含む在庫情報を、前記パレット６に保管されている前記被管理部材５の識別情報及び前記パレット６に取り付けられている固定端末装置３０の識別情報と関連付けて記憶する部材在庫情報データベース１７のデータ項目は、左から棚番１７Ａ、品番１７Ｂ、在庫数量１７Ｃ、直近入庫日１７Ｄ、直近入庫数量１７Ｅ、直近出庫日１７Ｆ、直近出庫数量１７Ｇとなっている。ここで、直近入庫日１７Ｄとは、１番最後に被管理部材５がパレット６に入庫した日をいい、直近入庫数量１７Ｅとは、１番最後に被管理部材５がパレット６に入庫した日の入庫数量をいう。これと同様に、直近出庫日１７Ｆとは、１番最後に被管理部材５がパレット６から出庫した日をいい、直近出庫数量１７Ｇとは、１番最後に被管理部材５がパレット６から出庫した日の出庫数量をいう。
【００９１】
なお、固定端末装置３０の識別情報として、この固定端末装置３０固有の物理アドレスであるＭＡＣアドレスを使用してもよいが、このＭＡＣアドレスを固定端末装置３０の識別情報とすると、管理運用上わかりにくく不便なものとなってしまう。一方、固定端末装置３０はパレット６に取り付けられるものであり、このため、固定端末装置３０はパレット６の棚札の役目をすることになる。そこで、本実施形態では、固定端末装置３０の識別情報として、この固定端末装置３０のＭＡＣアドレスと対応し、各パレット６に固有のわかりやすい管理番号となる棚札番号（以下「棚番」という）を設定している。
【００９２】
このように、本実施形態では、棚番１７Ａが固定端末装置３０の識別情報となっており、品番１７Ｂが被管理部材５の識別情報となっており、これら２個のデータ項目が部材在庫情報データベース１７にアクセスするためのキー項目となっている。そして、在庫数量１７Ｃ〜直近出庫数量１７Ｇまでの５個のデータ項目が、棚番１７Ａ及び品番１７Ｂと関連付けられるパレット６に保管されている被管理部材５の在庫情報となっている。なお、パレット６に保管されている被管理部材５の在庫情報となるデータ項目としては、少なくとも在庫数量１７Ｃが必須であり、直近入庫日１７Ｄ〜直近出庫数量１７Ｇまでの４個のデータ項目は必ずしも必要ではない。すなわち、パレット６に保管されている被管理部材５の最新の在庫数量が把握できればよいのであれば、部材在庫情報データベース１７のうち、必須のデータ項目は、キー項目である棚番１７Ａ及び品番１７Ｂと、在庫数量１７Ｃの３個である。なお、本実施形態において、在庫情報となるデータ項目は、在庫数量１７Ｃを除いて任意に設定してよい。すなわち、在庫数量１７Ｃを除いてデータ項目の数、データ項目の内容は任意に設定してよい。
【００９３】
図８には、固定端末装置３０の構成図が示されている。上述したように、被管理部材５が保管されるパレット６の棚札としての機能を有する固定端末装置３０は、図示されないＣＰＵと、ＲＡＭ、ＲＯＭである主記憶手段と、小型のハードディスクやフラッシュメモリ等の補助記憶手段と、制御手段等を備えており、これらは、ユニット化されている。また、固定端末装置３０は、ＺｉｇＢｅｅ（登録商標）通信を行うためのＺｉｇＢｅｅ（登録商標）通信用ＭＰＵと、固定端末装置３０、移動端末装置５０及びルータ端末装置８０と無線通信をおこなうための２．５ＧＨｚトランシーバも備えている。
【００９４】
固定端末装置３０の補助記憶手段には、この固定端末装置３０とサーバ１０との間で、パレット６に保管されている被管理部材５の在庫情報を受け渡しするための処理手段３１が記憶されている。主記憶手段に読み込まれ、ＣＰＵで実行されるソフトウェアとなっているこの処理手段３１は、サーバ側部材在庫情報更新処理手段３２と、固定端末装置側部材出庫情報送信処理手段３３と、を備えている。なお、これらの処理手段３２，３３によって実行される処理内容は後述する。
【００９５】
また、固定端末装置３０には、この固定端末装置３０が取り付けられているパレット６から出庫した被管理部材５の出庫数量をサーバ１０へ送信するとき、この出庫数量を入力するための固定端末側入力手段である入力手段３５や、サーバ１０から受信した被管理部材５の在庫情報を出力するための出力手段４０が備えられている。図１０に示されているように、本実施形態では、入力手段３５はキー部やボタン部となっており、出力手段４０は液晶表示部となっている。
【００９６】
また、固定端末装置３０の補助記憶手段には、図８に示されているように、この固定端末装置３０が取り付けられているパレット６の被管理部材５の在庫情報を格納するための部材在庫情報ファイル３４が記憶されている。
【００９７】
図９には、通常のファイル管理システムでデータが記憶される部材在庫情報ファイル３４の項目レイアウト図が示されている。この図９に示されているように、固定端末装置３０が取り付けられているパレット６に保管されている被管理部材５の在庫数量を含む在庫情報を、前記パレット６に保管されている前記被管理部材５の識別情報及び前記パレット６に取り付けられている固定端末装置３０の識別情報と関連付けて記憶する部材在庫情報ファイル３４のデータ項目は、左から棚番３４Ａ、品番３４Ｂ、品名３４Ｃ、在庫数量３４Ｄ、直近入庫日３４Ｅ、直近入庫数量３４Ｆ、直近出庫日３４Ｇ、直近出庫数量３４Ｈ、総在庫数量３４Ｉとなっている。
【００９８】
これらのデータ項目のうち、総在庫数量３４Ｉは、同じ品番の被管理部材５が複数のパレット６に分散して保管されている場合における各パレット６に保管されている被管理部材５の在庫数量を合計したものである。すなわち、総在庫数量３４Ｉは、サーバ１０の部材在庫情報データベース１７の在庫数量１７Ｃを、同じ品番３４Ｂ単位で集計したものである。したがって、同じ品番を有する被管理部材５が複数のパレット６に分散して保管されていない場合には、部材在庫情報ファイル３４の総在庫数量３４Ｉは、同じく部材在庫情報ファイル３４の在庫数量３４Ｄと一致することになる。この総在庫数量３４Ｉは、サーバ１０の処理手段１１のサーバ側部材別在庫数量集計処理手段１５により算出される。
【００９９】
また、部材在庫情報ファイル３４のデータ項目のうち、品名３４Ｃは、品番３４Ｂをキーとしてサーバ１０の部材仕様情報データベース１６を検索することにより取得されたこの部材仕様情報データベース１６の品名１６Ｂが格納される。この品名１６Ｂの取得は、サーバ１０の処理手段１１のサーバ側部材在庫情報取得処理手段１２により実行される処理において行われる。
【０１００】
ここで、サーバ１０と固定端末装置３０に備えられている前述した各処理手段により実行される処理内容を説明する。
【０１０１】
サーバ側部材在庫情報取得処理手段１２は、特定のパレット６に保管されている被管理部材５の在庫情報を、特定のパレット６に保管されている被管理部材５の品番及び特定のパレット６の棚番をキーとして、部材在庫情報データベース１７を検索し、特定のパレット６に保管されている被管理部材５の品番及びパレット６の棚番と関連付けられた在庫情報を取得する処理を実行するものである。
【０１０２】
サーバ側部材在庫情報送信処理手段１３は、サーバ側部材在庫情報取得処理手段１２により取得された在庫情報を、特定のパレット６に取り付けられている固定端末装置３０に送信する処理を実行するものである。
【０１０３】
サーバ側部材在庫情報更新処理手段１４は、固定端末装置３０の固定端末装置固定端末装置側部材出庫情報送信処理手段３３により送信された出庫情報を受信し、この受信した出庫情報のうち、被管理部材５の品番及びパレット６の棚番をキーとして、部材在庫情報データベース１７を検索し、被管理部材５の品番及びパレット６の棚番と関連付けられた在庫情報を取得し、少なくとも在庫情報の在庫数量１７Ｃを更新する処理を実行するものである。
【０１０４】
サーバ側部材別在庫数量集計処理手段１５は、サーバ１０の部材在庫情報データベース１７を検索し、被管理部材５の品番１７Ｂ毎の在庫数量１７Ｃを集計する処理を実行するものである。
【０１０５】
固定端末装置側部材在庫情報更新処理手段３２は、部材在庫情報ファイル３４と、サーバ側部材在庫情報送信処理手段１３により送信された在庫情報を受信し、この受信した在庫情報に基づいて、被管理部材５の品番及び前記パレット６の棚番をキーとして、部材在庫情報ファイル３４を検索し、パレット６に保管されている被管理部材５の品番及びパレット６の棚番と関連付けられた在庫情報を更新する処理を実行するものである。
【０１０６】
出力手段４０は、固定端末装置側部材在庫情報更新処理手段３２により更新された部材在庫情報ファイル３４の在庫情報を出力するものである。
【０１０７】
入力手段１８は、少なくとも固定端末装置３０が取り付けられているパレット６から出庫した被管理部材５の出庫数量を入力するものである。
【０１０８】
固定端末装置側部材出庫情報送信処理手段３３は、被管理部材５の品番及びパレット６の棚番と、入力手段３５に入力された出庫数量を含む出庫情報をサーバ１０に送信する処理を実行するものである。
【０１０９】
図１０は、固定端末装置３０の斜視図である。この図１０に示されているように、固定端末装置３０の前面部に配置されている入力手段３５は、＋（プラス）キー３６、−（マイナス）キー３７、［実行］キー３８とからなっており、これらのキーは、前述したように、固定端末装置３０が取り付けられているパレット６から出庫した被管理部材５の出庫数量をサーバ１０へ送信するとき、この出庫数量を入力するための使用されるものである。
【０１１０】
出庫数量の入力フィールド４６への出庫数量の入力は、最初に入力フィールド４６に０（ゼロ）が表示されるので、数字が、パレット６から出庫させる被管理部材５の出庫数量となるまで＋（プラス）キー３６を押下する。一方、現在表示されている出庫数量を減算したい場合には、−（マイナス）キー３７を押下する。出庫数量の入力が終了したら、［実行］キー３８を押す。これにより、固定端末装置３０で入力された被管理部材５の出庫数量は、部材在庫情報ファイル３４の棚番３４Ａ及び品番３４Ｂとともにサーバ１０へ送信される。なお、表示されている出庫数量が０となっているときに−（マイナス）キー３７を押下した場合には、この−（マイナス）キー３７のキー操作は無効となる。すなわち、表示されている出庫数量が０となっているときに−（マイナス）キー３７を押下した場合には、出庫数量は０のままでマイナスにはならない。言い換えると、本実施形態では、後述するように、固定端末装置３０への入庫数量の入力はサーバ１０から送信されることにより可能となっていて、固定端末装置３０の入力手段３５からの操作による入力はできない構成となっている。これにより、マイナスの出庫数量がサーバ１０に送信されて、この送信された出庫数量がサーバ１０側では入庫数量として取り扱われることが防止され、出庫数量管理の正確さが増加する。もちろん、出庫数量管理上問題なければ、固定端末装置３０の入力手段３５からの操作によっても入庫数量の入力を可能としても差し支えない。
【０１１１】
また、固定端末装置３０の前面部に配置されている出力手段４０である液晶表示部には、上から、棚番４１、品番４２、品名４３、パレット在庫数量４４、総在庫数量４５、出庫数量４６が表示されており、入力項目は出庫数量４６のみで、これ以外の項目は、全て固定端末装置３０の部材在庫情報ファイル３４から参照表示されるものである。
【０１１２】
なお、出庫数量４６の見出し及び入力フィールドは、固定端末装置３０が棚札として使用される場合には表示されない。すなわち、出庫数量４６の項目は、パレット６から出庫する被管理部材５の出庫数量を入力する場合にのみ表示される。出庫数量４６の見出し及び入力フィールドの表示／非表示の切り替えは、固定端末装置３０の側面部に形成された図示されない窪み部に配置されている図示されない表示切替スイッチを操作することにより行われる。この表示切替スイッチは、固定端末装置３０が棚札として使用されるときには操作されないように、前記窪み部がカバー部材で覆われている。
【０１１３】
なお、固定端末装置３０は、バッテリ（充電池）で動作するものであり、このバッテリの電源スイッチは、固定端末装置３０の裏面側に設けられている。通常時は棚札としての機能を果たす固定端末装置３０の前面部には、バッテリの消費を少なくするための［省電力］ボタン３９が配置されており、この［省電力］ボタン３９を押下することにより、バッテリは省電力モードの状態となる。また、固定端末装置３０は、屋外での使用に耐えうる防水性を有している。
【０１１４】
以上説明したように、固定端末装置３０の出力手段である液晶表示部４０には、この固定端末装置３０が取り付けられているパレット６に保管されている被管理部材５の最新の在庫情報が表示されるものであり、このため、表示切替スイッチにより出庫数量の見出し及び入力フィールドが表示されない状態（モード）となっているときには、固定端末装置３０は、この固定端末装置３０が取り付けられたパレット６の棚札の役目を果たすようになっている。
【０１１５】
次に、固定端末装置３０がパレット６に取り付けられる位置について説明する。
【０１１６】
図１１は、パレット６がストックヤード３に単独で配置されるものであって、固定端末装置３０が取り付けられている状態のパレット６の斜視図であり、図１２は、図１１に示されているパレット６の平面図である。ここで、単独で配置されているパレット６とは、ストックヤード３に配置されるパレット６が１個のみである場合や、ストックヤード３に配置されるパレット６は複数個であるが、それぞれのパレット６が互いに相当の距離をおいて配置されている場合をいう。
【０１１７】
図１１及び図１２に示されているように、本実施形態では、固定端末装置３０は、パレット６のベース部７の表面部７Ａの周縁部である四隅に設けられている４個の柱状部８のうちの１個の柱状部８の側面部８Ｃ（図１２参照）に設けられており、この固定端末装置３０の取り付け高さ位置（上下方向の位置）は、柱状部８の長さ方向である上下方向略中央部（図１１参照）となっている。
【０１１８】
ここで、固定端末装置３０の取り付け位置は、この固定端末装置３０が外力の影響を受けず、また、被管理部材５と干渉しない位置に取り付けることが好ましい。また、固定端末装置３０の取り付け位置は、パレット６に取り付けたときにこの固定端末装置３０が見えやすい位置であることが好ましい。
【０１１９】
図１２に示すように、柱状部８の側面部には、側面部８Ａ、側面部８Ｂ、側面部８Ｃ、側面部８Ｄの４面があるが、固定端末装置３０を側面部８Ａ又は側面部８Ｄに取り付けると、固定端末装置３０は、外力（例えば、風雨や塵埃、フォークリフト９０のフォーク９０Ａ（図１参照）と当接（干渉）すること等）の影響を受けやすい。また、固定端末装置３０を側面部８Ｂに取り付けると、固定端末装置３０が被管理部材５と干渉するおそれがある。
【０１２０】
そこで、本実施形態では、固定端末装置３０は、外力の影響を受けず、また、被管理部材５と干渉するおそれが少ない側面部８Ｃに取り付けられている。また、固定端末装置３０の取り付け高さ位置（上下方向の位置）は、管理者が見やすいように、柱状部８の長さ方向である上下方向略中央部（図１１参照）となっている。
【０１２１】
このように、本実施形態では、固定端末装置３０は、前述したように、パレット６のベース部７の表面部７Ａの四隅に設けられている４個の柱状部８のうちの１個の柱状部８の側面部８Ｃ（図１２参照）に設けられているが、固定端末装置３０が外力の影響を受けず、また、被管理部材５と干渉するおそれが少ない側面部であればよく、側面部８Ｃと同様な位置である図１２に示す側面部８Ｅ，８Ｆ，８Ｇ，８Ｈ，８Ｉ，８Ｊ，８Ｋでもよい。
【０１２２】
すなわち、パレット６が単独で配置されるものである場合には、固定端末装置３０は、パレット６の柱状部８の側面部のうち、他の柱状部８と対向する側面部であって、被管理部材５と干渉しない側面部に取り付ければよい。
【０１２３】
図１３は、ストックヤード３に配置されるパレット６は複数個（図示例では２個）あり、これらのパレット６の長辺部同士が互いに隣接して配置されるものであって、固定端末装置３０が取り付けられている状態の複数個のパレット６の斜視図であり、図１４は、図１３に示されているパレット６の平面図である。
【０１２４】
図１３及び図１４に示されているように、本実施形態では、固定端末装置３０は、それぞれのパレット６のベース部７の表面部７Ａの四隅に設けられている４個の柱状部８のうちの１個の柱状部８の側面部８Ａ（図１４参照）に設けられており、それぞれの固定端末装置３０の取り付け高さ位置（上下方向の位置）は、図１１及び１２の実施形態と同様に、柱状部８の長さ方向である上下方向略中央部（図１３参照）となっている。
【０１２５】
本実施形態では、上述した図１１及び図１２の実施形態と異なり、複数個のパレット６が互いに隣接して配置されるため、パレット６同士が干渉するおそれがある。
【０１２６】
このため、それぞれのパレット６に取り付けられる固定端末装置３０の取り付け位置は、それぞれの固定端末装置３０が、パレット６の柱状部８や被管理部材５と干渉しない位置に取り付けることが好ましい。また、固定端末装置３０の取り付け位置は、図１１及び１２の実施形態と同様に、パレット６に取り付けたときにこの固定端末装置３０が見えやすい位置であることが好ましい。
【０１２７】
図１４に示すように、柱状部８の側面部には、側面部８Ａ、側面部８Ｂ、側面部８Ｃ、側面部８Ｄの４面があるが、固定端末装置３０を側面部Ｄに取り付けると、固定端末装置３０は、隣接するパレット６の柱状部８の側面部に当接（干渉）したり、前述したような外力の影響を受けやすい。また、固定端末装置３０を側面部８Ｂに取り付けると、固定端末装置３０が被管理部材５と干渉するおそれがある。さらに、固定端末装置３０を側面部８Ｃに取り付けると、固定端末装置３０が見えなくなるおそれがある。
【０１２８】
そこで、本実施形態では、固定端末装置３０は、外力の影響を受けるおそれがあるが、隣接するパレット６の柱状部８や被管理部材５と干渉するおそれが少なく、かつ、隠れて見えなくなることのない側面部８Ａに取り付けられている。また、固定端末装置３０の取り付け高さ位置（上下方向の位置）は、柱状部８の長さ方向である上下方向略中央部（図１３参照）となっている。
【０１２９】
このように、本実施形態では、固定端末装置３０は、前述したように、パレット６のベース部７の表面部７Ａの四隅に設けられている４個の柱状部８のうちの１個の柱状部８の側面部８Ａ（図１４参照）に設けられているが、固定端末装置３０が、隣接するパレット６の柱状部８と干渉したり、外力の影響を受けず、また、被管理部材５と干渉するおそれが少ない側面部であればよく、図１４に示すパレット６のベース部７の表面部７Ａにおける短辺部に設けられている柱状部８の側面部８Ｌ，８Ｍ，８Ｎでもよい。
【０１３０】
すなわち、パレット６は複数個あり、これらのパレット６が互いに隣接して配置されるものである場合には、固定端末装置３０は、それぞれのパレット６の柱状部８の側面部のうち、他の柱状部８と対向しない側面部であって、かつ、他のパレット６の柱状部８とも対向しない側面部に取り付ければよい。
【０１３１】
図１５は、移動端末装置５０の斜視図である。この移動端末装置５０は、前述したように、サーバ１０及び固定端末装置３０と通信可能となっており、少なくとも部材在庫情報データベース１７に記憶された在庫情報を検索及び／又は更新する処理を実行するものである。
【０１３２】
固定端末装置３０と同様に、この移動端末装置５０も、図示されないＣＰＵと、ＲＡＭ、ＲＯＭである主記憶手段と、小型のハードディスクやフラッシュメモリ等の補助記憶手段と、制御手段等を備えており、これらは、ユニット化されている。また、この移動端末装置５０も、ＺｉｇＢｅｅ（登録商標）通信を行うためのＺｉｇＢｅｅ（登録商標）通信用ＭＰＵと、サーバ１０、固定端末装置３０、ルータ端末装置８０と無線通信をおこなうための２．５ＧＨｚトランシーバも備えている。
【０１３３】
図１５に示すように、この移動端末装置５０は、メニュー操作や各種情報を入力するための入力手段５１や、サーバ１０から受信した被管理部材５の在庫情報等を出力するための出力手段５５が備えられている。図１５に示されているように、本実施形態では、入力手段５１はテンキー５２、処理メニュ−を選択するため等に使用される［実行］キー５３、ファンクションキー５４となっており、出力手段５５は液晶表示部となっている。
【０１３４】
次に、本実施形態に係る在庫管理システムにおけるサーバ１０と固定端末装置３０との間で行われる処理の流れを図１６〜図１８のフローチャート図により説明する。なお、図１６〜図１８において、被管理部材５は「部材５」と省略して表記する。
【０１３５】
まず、パレット６に被管理部材５が入庫した場合の処理の流れを図１６のフローチャート図により説明する。
【０１３６】
図１６に示されているように、まず、メーカーから被管理部材５のロットがストックヤード３に搬入し、この被管理部材５のロットがパレット６に入庫される（ステップＳ１）。この後、パレット６に入庫された被管理部材５の入庫情報（棚番、品番、入庫数量、入庫日等）が、管理者によってサーバ１０の入力手段１８に入力され、この入力された入庫情報は、サーバ１０の処理手段１１によって、部材在庫情報データベース１７に新規登録又は更新される（ステップＳ２）。なお、処理手段１１による部材在庫情報データベース１７へのアクセスは、入庫情報の棚番及び品番を参照キーとして行われる。そして、処理手段１１によって、入庫情報の入庫数量は、部材在庫情報データベース１７の在庫数量１７Ｃに加算、直近入庫数量１７Ｅに移送され、入庫情報の入庫日は、部材在庫情報データベース１７の直近入庫日１７Ｄに移送される。
【０１３７】
ステップＳ２が実行された後、サーバ１０の処理手段１１は、ステップＳ１の前記パレット６に入庫した被管理部材５の在庫情報を、部材仕様情報データベース１６（参照キー：品番）及び部材在庫情報データベース１７（参照キー：棚番及び品番）から取得し、この取得した在庫情報（棚番、品番、品名、在庫数量、直近入庫日、直近入庫数量、直近出庫日、直近出庫数量等）を、前記パレット６に取り付けられる予定の固定端末装置３０に送信する処理を実行する（ステップＳ３）。なお、このステップＳ３は、サーバ１０の処理手段１１のサーバ側部材在庫情報取得処理手段１２とサーバ側部材在庫情報送信処理手段１３により実行される。
【０１３８】
なお、ステップＳ３はステップＳ２と連動して実行されるものであるが、ステップＳ３はステップＳ２と連動せずに、このステップＳ２の後に随時実行可能としてもよい。
【０１３９】
ステップＳ３が実行された後、固定端末装置３０の処理手段３１の固定端末装置側部材在庫情報更新処理手段３２は、ステップＳ３によりサーバ１０から送信された被管理部材５の在庫情報を受信し（ステップＳ４）、この受信した在庫情報に基づいて、固定端末装置３０の部材在庫情報ファイル３４（参照キー：棚番及び品番）を新規登録又は更新する処理を実行する（ステップＳ５）。
【０１４０】
なお、ステップＳ３及びステップＳ４におけるサーバ１０と固定端末装置３０との通信は、無線通信でもよく、サーバ１０と固定端末装置３０とをケーブルで接続して通信を行う有線通信でもよい。
【０１４１】
ステップＳ５の固定端末装置３０の部材在庫情報ファイル３４の更新が終了した後は、固定端末装置３０をステップＳ１で被管理部材５が入庫したパレット６に取り付ける作業を管理者が行う（ステップＳ６）。
【０１４２】
次に、パレット６から被管理部材５が出庫する場合の処理の流れを図１７及び図１８のフローチャート図により説明する。
【０１４３】
まず、製品の製造に使用される必要数量の被管理部材５がパレット６から出庫されると（ステップＳ７）、被管理部材５を出庫した作業者あるいは被管理部材５の在庫管理者等は、棚札として機能するモードとなっていた固定端末装置３０の表示切替スイッチを操作して出庫数量の入力モードにした後、固定端末装置３０の入力手段３５を操作してパレット６から出庫する被管理部材５の出庫数量を入力し、この出庫数量を含む出庫情報（棚番、品番、出庫日、出庫数量）をサーバ１０に送信する（ステップＳ８）。この出庫情報の送信処理は固定端末装置３０の処理手段３１の固定端末装置側部材出庫情報送信処理手段３３により実行される。
【０１４４】
次に、サーバ１０の処理手段１１は、固定端末装置３０から送信された出庫情報を受信する処理を実行する（ステップＳ９）。この後、処理手段１１のサーバ側部材在庫情報取得処理手段１２が、部材在庫情報データベース１７から被管理部材５の在庫数量１７Ｃを取得する処理を実行する（ステップＳ１０）。
【０１４５】
次に、処理手段１１は、受信した出庫情報の出庫数量と、部材在庫情報データベース１７から取得された在庫数量１７Ｃとの比較判定処理を実行する（ステップＳ１１）。
【０１４６】
このステップＳ１１において、固定端末装置３０から送信された出庫数量が在庫数量よりも大きい場合（ステップＳ１１−ＹＥＳ）、処理手段１１は入力エラーメッセージを固定端末装置３０に送信する処理を実行する（ステップＳ１２）。
【０１４７】
このステップＳ１２の後、固定端末装置３０の処理手段３１は、サーバ１０からの入力エラーメッセージを受信し、このメッセージを固定端末装置３０の出力手段４０に出力する処理を実行し（ステップＳ１３）、ステップＳ８に戻る。すなわち、出庫数量の入力処理に戻る。
【０１４８】
一方、前記ステップＳ１１において、固定端末装置３０から送信された出庫数量が在庫数量以下である場合（ステップＳ１１−ＮＯ）、処理手段１１のサーバ側部材在庫情報更新処理手段１４は、部材在庫情報データベース１７の被管理部材５の在庫情報を更新する処理を実行する（ステップＳ１４）。
【０１４９】
この後、処理手段１１のサーバ側部材在庫情報送信処理手段１３は、更新された部材在庫情報データベース１７の在庫情報を固定端末装置３０に送信する処理を実行する（ステップＳ１５）。そして、固定端末装置３０の処理手段３１の固定端末装置側部材在庫情報更新処理手段３２は、サーバ１０から送信された在庫情報を受信し（ステップＳ１６）、部材在庫情報ファイル３４の在庫情報を更新する処理を実行する（ステップＳ１７）。この後、固定端末装置３０の出力手段４０には、固定端末装置側部材在庫情報更新処理手段３２により更新された部材在庫情報ファイル３４の在庫情報が出力される。すなわち、出力手段４０には、固定端末装置３０の最新の在庫情報が出力される。
【０１５０】
図１８に示すように、固定端末装置３０の出力手段４０に出力される在庫情報のうち、在庫数量が０である場合（ステップＳ１９−ＮＯ）には、この固定端末装置３０が取り付けられているパレット６は不要となるので、この後、作業者あるいは管理者により固定端末装置３０がパレット６から撤去され（ステップＳ２０）、パレット６は、返却場所に返却される（ステップＳ２１）。一方、固定端末装置３０の出力手段４０に出力される在庫数量が０よりも大きい場合（ステップＳ１９−ＹＥＳ）には、パレット６に保管されている被管理部材５は次の出庫作業の待ち状態（ステップＳ２２）となり、固定端末装置３０は引き続きパレット６の棚札の役目を果たす。
【０１５１】
なお、前記ステップＳ１５が実行された後、サーバ１０の処理手段３１は、パレット６から出庫した被管理部材５の最新の在庫状況を把握するための部材在庫状況一覧表９０が、プリンタ等の出力手段に出力する処理を実行する（ステップＳ１８）。ここで、在庫状況一覧表９０に出力される情報として、例えば、被管理部材５が出庫したパレット６の在庫状況の一覧や、同一の品番の被管理部材５が複数のパレット６に分散して保管される場合における各パレット６毎の被管理部材５の在庫数量の明細一覧や、被管理部材５の品番毎の在庫数量を集計したもの（サーバ１０のサーバ側部材別在庫数量集計処理手段１５により実行される集計処理により得られるもの）を挙げることができる。なお、被管理部材５の棚卸一覧表、棚卸集計表等を出力する機能をサーバ１０の処理手段１１に備えるようにしてもよい。
【０１５２】
以上説明した本実施形態では、パレット６に取り付けられた固定端末装置３０の部材在庫情報ファイル３４の在庫情報は、サーバ１０の部材在庫情報データベース１７に登録されている前記固定端末装置３０が取り付けられているパレット６の被管理部材５の在庫情報と同じ内容となり、この在庫情報は、前記固定端末装置３０の出力手段４０に出力される。
【０１５３】
この結果、固定端末装置３０の出力手段４０は、この固定端末装置３０が取り付けられているパレット６に保管されている被管理部材５の在庫情報を表示する札部材としての機能を有することになる。すなわち、サーバ１０が配置されている場所に行かなくても、固定端末装置３０の出力手段４０を見れば、パレット６に保管されている被管理部材５の在庫情報が一目で分かるようになる。
【０１５４】
また、移動可能となっているパレット６の移動中に被管理部材５がパレット６から脱落し、この後、脱落した被管理部材５があやまって他のパレット６に保管されてしまった場合には、移動したパレット６に保管されている被管理部材５の実際の在庫数量が、サーバ１０側で管理されている在庫数量と異なることが、固定端末装置３０の出力手段４０を見れば分かるようになる。
【０１５５】
このように、本実施形態によると、定位置化されていない被管理部材５の在庫数量の管理をより正確かつ容易に行えるようになる。
【０１５６】
また、本実施形態では、固定端末装置３０の入力手段３５から、この固定端末装置３０が取り付けられているパレット６から出庫した被管理部材５の出庫数量を入力することができ、被管理部材５の品番及びパレット６の棚番と入力手段３５に入力された出庫数量を含む出庫情報が、固定端末装置側部材出庫情報送信処理手段３３によりサーバ１０に送信されるようになっている。
【０１５７】
このため、本実施形態によると、パレット６から出庫した被管理部材５の出庫数量をわざわざサーバ１０側で入力する手間が省け、被管理部材５が出庫したパレット６に取り付けられている固定端末装置３０からその場で出庫数量を入力できるので、出庫数量の入力の間違いをより少なくすることができる。
【０１５８】
一方、本実施形態では、サーバ１０は、固定端末装置３０から送信された被管理部材５の出庫情報を受信した後、サーバ１０が備えるサーバ側部材在庫情報更新処理手段１４は、受信した出庫情報のうち、被管理部材５の品番及びパレット６の棚番をキーとして、部材在庫情報データベース１７を検索し、被管理部材５の品番及びパレット６の棚番と関連付けられた在庫情報を取得し、少なくとも在庫情報の在庫数量を更新する処理を実行することになる。
【０１５９】
このように、本実施形態では、被管理部材５が出庫したパレット６に取り付けられている固定端末装置３０から出庫数量が入力、送信されると、サーバ１０が備える部材在庫情報データベース１７の在庫数量が直ちに更新されることになる。このため、本実施形態によると、サーバ１０側では、リアルタイムで最新の被管理部材５の在庫数量を把握することが可能となる。
【０１６０】
また、本実施形態では、サーバ１０は、部材在庫情報データベース１７を検索し、被管理部材５の品番毎の在庫数量を集計する処理を実行するサーバ側部材別在庫数量集計処理手段１５を備えている。
【０１６１】
このため、本実施形態によると、同一の品番を有する複数の被管理部材５が、複数のパレット６に分散して保管されたとしても、サーバ１０に備えられているサーバ側部材別在庫数量集計処理手段１５により、複数のパレット６に分散して保管されている同一の品番を有する複数の被管理部材５の総在庫数量を容易に把握することができる。
【０１６２】
また、本実施形態では、サーバ側部材別在庫数量集計処理手段１５による集計処理は、サーバ１０に被管理部材５の入庫数量や出庫数量が入力され、部材在庫情報データベース１７が更新された後には、必ず実行されるようになっている。そして、サーバ側部材別在庫数量集計処理手段１５による集計処理が実行された後は、集計された被管理部材５の在庫数量が、サーバ１０の出力手段であるプリンタに出力される。
【０１６３】
このため、複数のパレット６に分散して保管されている同一の品番を有する複数の被管理部材５の総在庫数量を迅速に把握することができる。
【０１６４】
本実施形態では、複数のパレット６にそれぞれ取り付けられている各固定端末装置３０は、他の固定端末装置３０を経由してサーバ１０と通信可能となっている。このため、本実施形態によると、固定端末装置３０がサーバ１０と直接通信できない状態となっても、この固定端末装置３０は、他の固定端末装置３０を経由してサーバ１０と通信することができる。
【０１６５】
また、本実施形態では、サーバ１０、固定端末装置３０、ルータ端末装置相互間の通信手段は、省電力タイプの無線通信であるＺｉｇＢｅｅとなっているため、固定端末装置３０や移動端末装置５０を動作させるためのバッテリ（蓄電池）の寿命を長くすることができるようになっている。
【０１６６】
図１９には、別実施形態に係るパレットの斜視図が示されている。この図１９に示されているように、本実施形態に係るパレット１０６が、前述した実施形態のパレット６と異なるのは脚部のみである。すなわち、本実施形態に係るパレット１０６の脚部１０９の水平断面積は、パレット６の水平断面積よりも大きく、また、脚部１０９の裏面部には、パレット１０６の柱状部８の上端部が嵌合可能な凹部１０９Ａが形成されている。
【０１６７】
このため、図２０に示されているように、本実施形態に係るパレット１０６を積み上げて配置する場合には、下に配置されているパレット１０６の柱状部８の上端部が、上に配置されるパレット１０６の脚部１０９の凹部１０９Ａに嵌合するため、上に配置されるパレット１０６が落下することをより確実に防止することができる。
【０１６８】
なお、図１９及び図２０に示されているように、本実施形態に係るパレット１０６に取り付けられる固定端末装置３０の高さ位置は、パレット１０６を積み上げたときに、脚部１０９の下面と干渉しない位置、すなわち、脚部１０９から上下方向に離間した高さ位置である上下方向の略中央位置であることが好ましい。
【産業上の利用可能性】
【０１６９】
本発明は、定位置化されていない被管理部材の在庫数量を管理するための在庫管理システムに利用できる。
【符号の説明】
【０１７０】
５  被管理部材５
６，１０６  保管庫であるパレット
７  パレットのベース部
８  パレットの柱状部
８Ａ，８Ｃ，８Ｅ，８Ｆ，８Ｇ，８Ｈ，８Ｉ，８Ｊ，８Ｋ，８Ｌ，８Ｍ，８Ｎ  固定端末装置が取り付けられる柱状部の側面部
１０  サーバ
１２  サーバ側部材在庫情報取得処理手段
１３  サーバ側部材在庫情報送信処理手段
１４  サーバ側部材在庫情報更新処理手段
１５  サーバ側部材別在庫数量集計処理手段
１６  部材仕様情報データベース
１６Ａ，１７Ｂ，３４Ｂ  被管理部材の識別情報である品番
１７  部材在庫情報データベース
１７Ａ，３４Ａ  固定端末装置の識別情報である棚番
１７Ｃ，３４Ｄ  被管理部材の在庫数量
１７Ｇ，３４Ｈ，４６  被管理部材の出庫数量
３０  固定端末装置
３２  固定端末装置側部材在庫情報更新処理手段
３３  固定端末装置側部材出庫情報送信処理手段
３４  部材在庫情報ファイル
３５  固定端末装置の入力手段
４０  固定端末装置の出力手段
５０  移動端末装置
８０  中継装置であるルータ端末装置
８１  通信手段である無線通信
９０  フォークリフト
９０Ａ  フォーク
【図１】
2010215340.tif 000003
【図２】
2010215340.tif 000004
【図３】
2010215340.tif 000005
【図４】
2010215340.tif 000006
【図５】
2010215340.tif 000007
【図６】
2010215340.tif 000008
【図７】
2010215340.tif 000009
【図８】
2010215340.tif 000010
【図９】
2010215340.tif 000011
【図１０】
2010215340.tif 000012
【図１１】
2010215340.tif 000013
【図１２】
2010215340.tif 000014
【図１３】
2010215340.tif 000015
【図１４】
2010215340.tif 000016
【図１５】
2010215340.tif 000017
【図１６】
2010215340.tif 000018
【図１７】
2010215340.tif 000019
【図１８】
2010215340.tif 000020
【図１９】
2010215340.tif 000021
【図２０】
2010215340.tif 000022